(57)【特許請求の範囲】
【請求項１】
複数のユーザ端末と、
表示情報を管理するウェブサーバとを有し、
前記ユーザ端末は、前記ウェブサーバへアクセスし、前記ウェブサーバから表示情報を取得し、前記ユーザ端末に表示する通信システムにおいて、
前記ユーザ端末は、前記ウェブサーバへアクセスし、ユーザ認証を得た場合に、前記表示情報の表示が許可される通信システムであって、
前記ユーザ端末が前記ウェブサーバに次の表示画面を要求するとき、その要求情報とともに、前の画面を表示したときの日時を示す日時情報を前記ウェブサーバに送信し、
前記ユーザ端末が前記ウェブサーバに送信する日時情報は、前記ウェブサーバから前記ユーザ端末に送信されていた情報であり、
前記ウェブサーバは、前記ユーザ端末から受信した日時情報と現在の日時とを比較し、あらかじめ定められた有効時間を超えているか否かを判定し、超えていない場合に前記ウェブサーバが前記ユーザ端末からの表示要求情報に対応した表示情報とともに日時情報を前記ユーザ端末に送信することを特徴とする通信システム。
【発明の詳細な説明】
【０００１】
【発明の属する技術分野】
本発明は、携帯電話やパソコン等のユーザ端末が、ウェブサーバへアクセスし、ウェブサーバから送信される情報を取得し、表示する通信システムに係り、特に、個人情報に関するセキュリティを保つための技術に関する。
【０００２】
【従来の技術】
図３は、通信システムの構成の概略を示す図である。
【０００３】
１は携帯電話やパソコン（ＰＣ）、ＰＤＡ等のユーザ端末（ウェブ端末）、２は表示情報を管理するウェブサーバ（ＷＷＷ(ワールド ワイド ウェブ)サーバ）、１０はユーザ端末１に備えられたウェブブラウザ、１１はユーザ端末１の表示画面に情報を表示するための表示手段である。
【０００４】
通信システムは、情報を表示する複数のユーザ端末１（図３では１個のみ図示）と、ユーザ端末１に情報を送信するウェブサーバ２から構成される。
【０００５】
このような通信システムにおいては、ウェブサーバ２は、ユーザ端末１のウェブサーバ２へのアクセスによる情報表示要求により、不特定多数の人に情報を公開する場合と、ユーザ端末１のユーザがユーザとして登録して、登録済みのユーザだけに情報を公開する場合とがある。
【０００６】
後者の場合、ユーザは、ユーザ端末１のウェブブラウザ１０を用いて、ウェブサーバ２からユーザ認証を得て（すなわち、ウェブサーバ２にログインして）、ウェブサーバ２は、ユーザ認証を得たユーザだけに（すなわち、ログインに成功したユーザだけに）情報を公開する。
【０００７】
本発明に関連する技術としては、例えば特開２００１−５２０６８号公報に開示されている。この技術では、個人情報データベースに、あらかじめ各利用者ごとにその個人情報と、利用者の端末に関する情報などが関連づけて保持されており、端末に関する情報から実際にサーバにアクセスした利用者を割り出したり、その利用者の信頼度を判定するという認証処理を容易に行うことができるというものである。
【０００８】
【発明が解決しようとする課題】
しかしながら、上記のような通信システムにおいて、ユーザが、ウェブサーバ２から受信した情報をユーザ端末１に表示したまま、長時間放置してしまった場合（すなわち、ログインしたまま、ログアウトを忘れてしまった場合）や、ユーザが、ユーザ端末１を紛失してしまったような場合、ユーザの個人情報が他人に見られ、あるいは他人に利用されるようなことが起こり得る問題がある。
【０００９】
本発明の目的は、ウェブサーバから受信した情報をユーザ端末に表示したまま、長時間放置した場合や、ユーザ端末を紛失した場合、個人情報が見られるのを防止することができる通信システムを提供することにある。
【００１０】
【課題を解決するための手段】
上記課題を解決するために、本発明の通信システムは、複数のユーザ端末と、表示情報を管理するウェブサーバとを有し、前記ユーザ端末は、前記ウェブサーバへアクセスし、前記ウェブサーバから表示情報を取得し、前記ユーザ端末に表示する通信システムにおいて、前記ユーザ端末は、前記ウェブサーバへアクセスし、ユーザ認証を得た場合に、前記表示情報の表示が許可される通信システムであって、前記ユーザ端末が前記ウェブサーバに次の表示画面を要求するとき、その要求情報とともに、前の画面を表示したときの日時を示す日時情報を前記ウェブサーバに送信し、前記ユーザ端末が前記ウェブサーバに送信する日時情報は、前記ウェブサーバから前記ユーザ端末に送信されていた情報であり、前記ウェブサーバは、前記ユーザ端末から受信した日時情報と現在の日時とを比較し、あらかじめ定められた有効時間を超えているか否かを判定し、超えていない場合に前記ウェブサーバが前記ユーザ端末からの表示要求情報に対応した表示情報とともに日時情報を前記ユーザ端末に送信することを特徴とする。
【００１１】
【発明の実施の形態】
以下、図面を用いて本発明の実施の形態について詳細に説明する。
【００１２】
図１は、本実施の形態に係る通信システムの構成の概略を示す図である。
【００１３】
図３と同一の符号を付したものは、同一のものを示し、繰り返しの説明は省略する。
【００１４】
図１において、２１はウェブサーバ２に備えられたウェブサーバプログラム、２２は画面表示プログラム、２３は日時情報付加手段、２４は表示有効時間情報、２５は日時情報判定手段、３１はユーザ端末１からウェブサーバ２への情報表示要求を示す矢印、３２はウェブサーバ２からユーザ端末１への情報送信を示す矢印である。
【００１５】
ユーザ端末１は、情報を表示させるソフトであるウェブブラウサ１０と、デスプレイ等を含む表示手段１１を有する。ユーザ端末１は、複数個存在するが、ここでは１個のみ図示する。
【００１６】
ウェブサーバ２は、Ａｐａｃｈｅ等のウェブサーバプログラム２１、画面表示プログラム２２、日時情報付加手段２３、表示有効時間情報２４、日時情報判定手段２５を有する。
【００１７】
ユーザは、ユーザ端末１のウェブブラウザ１０を用いて、ウェブサーバ２にアクセスし、矢印３１に示すように、表示手段１１の表示画面に表示させる情報の表示を要求する。この際、ユーザは、ウェブブラウザ１０によりウェブサーバ２からユーザ認証を得る（ログインする）。
【００１８】
ユーザがユーザ認証を得る（ログインに成功する）と、ウェブサーバ２は、矢印３２に示すように、ユーザ端末１に表示要求された情報を送信する。この際、ウェブサーバ２は、該送信する情報に、日時情報付加手段２３により、該認証時あるいは送信時の日時を示す日時情報を付加し、要求された情報とともに日時情報をユーザ端末１に送信する。あるいは、この際、ウェブサーバ２は、日時情報をユーザ端末１に送信しないで、日時情報を記憶しておいてもよい。この場合、ウェブサーバ２の日時情報付加手段２３の代わりに日時情報記憶手段を設け、日時情報記憶手段に日時情報を記憶する。さらに、ウェブサーバ２は、日時情報のユーザ端末１への送信と、日時情報の記憶とを両方行うことも可能である。
【００１９】
ウェブサーバ２からの情報を受信したユーザ端末１では、ウェブブラウザ１０により、ユーザが要求した情報が表示手段１１の表示画面に表示される。なお、この際、ウェブサーバ２から、ユーザが要求した情報といっしょに受信した日時情報は、ユーザ端末１の表示画面には表示されない。
【００２０】
また、ユーザ端末１のウェブブラウザ１０は、ウェブサーバ２に、次の表示画面を要求するとき、その表示要求情報とともに、前の画面を表示した時の日時情報をウェブサーバ２に送信する。なお、ウェブサーバ２が日時情報を記憶しておく場合は、送信しなくてもよい。
【００２１】
ウェブサーバ２は、ユーザ端末１のウェブブラウザ１０から受信した日時情報（もしくはウェブサーバ２が記憶しておいた日時情報）と、現在の時刻とを比較し、あらかじめ定めた表示有効時間を超えているか否かを日時情報判定手段２５で判定する。表示有効時間を超えていない場合には、ウェブサーバ２は、表示情報をユーザ端末１に送信し、超えている場合には、表示有効時間を超えている旨のエラー表示をユーザ端末１に送信する。
【００２２】
以下、本実施の形態における動作の詳細な流れの一例を図２に従って説明する。
【００２３】
図２は、本実施の形態の通信システムの処理フローを示す図である。
【００２４】
本実施の形態では、１表示画面の表示有効時間を、例えば３０分とする。
【００２５】
図２に示すように、まず、ユーザは、ユーザ端末１のウェブブラウザ１０（図１）により、例えば、２００１年１０月１５日の午前８：２０にログインする（ユーザ認証を得る）（図２のＳ１）。
【００２６】
ログインが成功すると（Ｓ２）、ウェブサーバ２は（画面表示情報＋日時情報（日時情報は、ここでは２００１１０１５０８２０とする））をユーザ端末１に送信する（Ｓ３）。
【００２７】
ユーザ端末１のウェブブラウザ１０は、受信した情報を元に、画面を表示する（日時情報は表示しない）（Ｓ４）。
【００２８】
次に、ユーザは、同日午前８：３０に、ユーザ端末１の表示画面に表示されたリンク文字やボタンを押して、次の表示画面を要求する（Ｓ５）。この際、ユーザ端末１のウェブブラウザ１０は、（次の画面表示要求情報＋現在の画面を表示した時の日時情報（２００１１０１５０８２０））をウェブサーバ２に送信する（Ｓ６）。
【００２９】
ウェブサーバ２は、ユーザ端末１から、同日午前８：３０に画面表示要求情報を受信する（Ｓ７）。
【００３０】
ウェブサーバ２は、現在時刻である午前８：３０と、画面表示要求情報の日時情報である午前８：２０とを比較し、時間差が１０分であり、表示有効時間の３０分以内であると（図１の日時情報判定手段２５により）判断し（Ｓ８）、ユーザ端末１の画面表示要求時の日時情報（２００１１０１５０８３０）を画面表示情報に付加してユーザ端末１に送信する（Ｓ９）。
【００３１】
ユーザ端末１のウェブブラウザ１０は、受信した情報を元に、表示画面に情報を表示する（日時情報は表示しない）（Ｓ１０）。
【００３２】
次に、ユーザは、同日午前９：３０に、表示画面のリンク文字やボタンを押して、次の表示画面を要求する（Ｓ１１）。このとき、ユーザ端末１のウェブブラウザ１０は、（次の画面表示要求情報＋現在の画面表示情報を表示した時の日時情報（２００１１０１５０８３０））をウェブサーバ２に送信する（Ｓ１２）。
【００３３】
ウェブサーバ２は、ユーザ端末１から、同日午前９：３０に画面表示要求情報を受信する（Ｓ１３）。
【００３４】
ウェブサーバ２は、現在時刻である午前９：３０と、画面表示要求情報の日時情報である午前８：３０とを比較し、時間差が６０分であり、表示有効時間の３０分を超えていると（図１の日時情報判定手段２５により）判断し（Ｓ１４）、ユーザ端末１に有効時間切れを知らせるエラー画面情報を送信する（Ｓ１５）。
【００３５】
ユーザ端末１のウェブブラウザ１０は、受信した情報を元に、表示画面に上記エラー表示を表示する（Ｓ１６）。ユーザは、表示要求した情報を表示したければ、Ｓ１のログインからやり直さなければならない。
【００３６】
なお、前述のように、図２に示したフローでは、ユーザがログインに成功すると（Ｓ２）、ウェブサーバ２は画面表示情報に付加して、日時情報をユーザ端末１に送信したが（Ｓ３）、ウェブサーバ２は、日時情報をユーザ端末１に送信しないで、日時情報記憶手段に記憶しておいてもよい。この場合、ユーザが次画面を要求するとき（Ｓ５）、ユーザ端末１は、日時情報をウェブサーバ２に送信しない（Ｓ６）。また、この場合、ウェブサーバ２は、ウェブサーバ２に記憶してある日時情報と現在時刻とを比較し、判定を行う（Ｓ８）。そして、この場合、ウェブサーバ２は、ユーザ端末１の画面表示要求時の日時情報を画面表示情報に付加してユーザ端末１に送信せずに、該日時情報を記憶する（Ｓ９）。さらに、この場合、ユーザが次画面を要求するとき（Ｓ１１）、ユーザ端末１は、現在の画面表示情報を表示した時の日時情報をウェブサーバ２に送信しない（Ｓ１２）。
【００３７】
さらに、ウェブサーバ２は、前述のように、日時情報の送信と記憶の両方を行うことも可能である。
【００３８】
上記のように、本実施の形態の通信システムは、複数のユーザ端末１と、表示情報を管理するウェブサーバ２とを有し、ユーザ端末１は、矢印３１のように、ウェブサーバ２へアクセスし、ウェブサーバ２のログファイル（図示省略）から矢印３２のように表示情報を取得し、ユーザ端末１に表示する通常のインターネット等の通信システムにおいて、ユーザ端末１は、ウェブサーバ２へアクセスし、ユーザ認証を得た場合に、表示情報の表示が許可される通信システムであって、ユーザ端末１がユーザ認証を得る際、ウェブサーバ２は、表示情報とともに日時情報を当該ユーザ端末１に送信し、もしくは当該ユーザ端末１の情報（ユーザ情報）とともに日時情報を日時情報記憶手段に記憶し、当該ユーザ端末１がアクセスしない時間が一定の有効時間を過ぎた後、当該ユーザ端末１がアクセスした場合、ウェブサーバ２は、当該ユーザ端末１に有効時間切れを知らせる情報を表示するものである。
【００３９】
このように、本実施の形態の通信システムでは、ユーザは、ユーザ認証を得た後（ログイン後）の表示情報をユーザ端末１の表示画面に表示したまま、一定時間（本実施の形態では、３０分）が経過すると、有効時間切れを知らせるエラー表示が出て次の画面が表示できなくなるので、ユーザがユーザ端末１に表示をさせたまま、長時間放置してしまった場合や、ユーザ端末１を紛失してしまったような場合でも、ユーザの個人情報が他人に見られたり、あるいは他人に利用されるようなことを防止することができる。
【００４０】
以上本発明を実施の形態に基づいて具体的に説明したが、本発明は上記実施の形態に限定されるものではなく、その要旨を逸脱しない範囲において種々変更可能であることは勿論である。例えば、あらかじめ定めた一定時間が経過する前に、ユーザ端末１からアクセスがない旨を、ウェブサーバ２からユーザ端末１に送信し、表示させることも可能である。また、表示有効時間が終了する際に、表示有効時間が終了する旨をウェブサーバ２からユーザ端末１に送信し、表示させることも可能である。また、一定時間が経過する前に、ユーザ端末１からアクセスがない旨と、表示有効時間が終了する際に、表示有効時間が終了する旨の両方をウェブサーバ２からユーザ端末１に送信し、表示させることも可能である。
【００４１】
【発明の効果】
以上説明したように、本発明によれば、ユーザの個人情報が他人に見られたり、あるいは他人に利用されることを防止でき、個人情報に関するセキュリティを保つことができる。
【図面の簡単な説明】
【図１】本発明の実施の形態に係る通信システムの構成の概略を示す図である。
【図２】本実施の形態の通信システムの処理フローを示す図である。
【図３】通信システムの構成の概略を示す図である。
【符号の説明】
１…ユーザ端末
２…ウェブサーバ
１０…ウェブブラウザ
１１…表示手段
２１…ウェブサーバプログラム
２２…画面表示プログラム
２３…日時情報付加手段
２４…表示有効時間情報
２５…日時情報判定手段
３１…情報表示要求
３２…情報送信
【図１】
0004297208.tif 000002
【図２】
0004297208.tif 000003
【図３】
0004297208.tif 000004